(57)【要約】【課題】  着信側の移動機において、発信側の緊急度を把握可能とすることで、不要な応答や折返しの発信を防止することである。【解決手段】  移動機２０は、通信制御部２１により、移動機１０からの着信要求を受信する。着信要求には、発信元電話番号と緊急度識別子とが含まれており、緊急度判定部２３が、緊急度識別子を基に緊急度を判定する。この緊急度は、発信元電話番号に対応付けられた上で着信履歴管理テーブル２４に格納された後、発信元電話番号及び着信日時と併せて着信履歴として表示される。履歴管理部２７は、不在着信の通知を受けると、当該着信の緊急度を参照する。緊急度が「低」である場合には、着信履歴管理テーブル２４から、その着信履歴を削除する。【選択図】  図１
2006295333.tif 000002
【特許請求の範囲】
【請求項１】
着信時に、発信元識別子と緊急度識別子とを受信する受信手段と、
前記緊急度識別子から緊急度を判定する判定手段と、
前記発信元識別子と前記緊急度とを対応付けて着信履歴として格納する格納手段と、
前記発信元識別子に対応する着信履歴を出力させる制御手段と、
前記着信に対する応答の前に通信が切断された場合に、前記緊急度に基づいて、前記格納手段から着信履歴を削除する管理手段と
を備えることを特徴とする移動機。
【請求項２】
請求項１に記載の移動機に対して発信する際に、発信元である自機の識別子とともに、当該発信の緊急度に応じた緊急度識別子を前記移動機宛に送信することを特徴とする移動機。
【請求項３】
着信時に、発信元識別子と緊急度識別子とを受信するステップと、
前記緊急度識別子から緊急度を判定するステップと、
前記発信元識別子と前記緊急度とを対応付けて着信履歴として格納手段に格納させるステップと、
前記発信元識別子に対応する着信履歴を出力させるステップと、
着信応答の前に通信が切断された場合に、前記緊急度に基づいて、前記格納手段から着信履歴を削除するステップと
を含むことを特徴とする着信方法。
【発明の詳細な説明】
【技術分野】
【０００１】
本発明は、移動機が、自機を発信先とする着信履歴を管理する技術に関する。
【背景技術】
【０００２】
従来、携帯電話を始めとする移動機は、他の移動機からの着信があった際に、発信元であるその移動機の電話番号を表示装置に表示させる。発信側の電話番号が着信側の移動機の電話帳に事前に登録されている場合には、その登録名が単独で、あるいは電話番号とともに表示されるものもある。表示された登録名または電話番号は、着信履歴として移動機に保持される。例えば特許文献１には、このように保持された着信履歴のうち、不要なものをユーザが削除可能な携帯電話機が開示されている。
【特許文献１】特開２００４−４０４５３号公報
【発明の開示】
【発明が解決しようとする課題】
【０００３】
しかしながら、上述した従来の移動機では、発信元の識別は可能であるが、発信側の移動機のユーザが、その発信に関して、どの程度の緊急性を要しているか（以下、「緊急度」と記す。）までは把握することができないことから、以下のような問題点が懸念される。すなわち、着信側の移動機のユーザは、着信に応答して発信側のユーザと通話し、その内容を確認するまでは、発信の緊急度を知ることができない。このため、例えば会議中などの極力応答すべきでない時に、緊急度の低い発信に応答してしまう、あるいは反対に、緊急度が高いにも拘らず応答しない、というように、緊急度に応じた対応ができないのが現状である。
【０００４】
さらに、着信側の移動機のユーザが応答しなかった場合や応答前に通信が切断された場合には、当該ユーザは、用件を確認するために、着信履歴を元に発信元に対して折返しの発信（コールバック）をすることがある。しかし、発信側の緊急度が低かった場合には、ユーザが折返しの電話をかけた時点で既に用件が済んでおり、その結果、返信が無駄に終わってしまう可能性もある。
【０００５】
そこで、本発明の課題は、着信側の移動機において、発信の緊急度を把握可能とすることで、不要な応答や折返しの発信を防止することである。
【課題を解決するための手段】
【０００６】
本発明に係る移動機は、着信時に、発信元識別子と緊急度識別子とを受信する受信手段と、前記緊急度識別子から緊急度を判定する判定手段と、前記発信元識別子と前記緊急度とを対応付けて着信履歴として格納する格納手段と、前記発信元識別子に対応する着信履歴を出力させる制御手段と、前記着信に対する応答の前に通信が切断された場合に、前記緊急度に基づいて、前記格納手段から着信履歴を削除する管理手段とを備える。
【０００７】
上述の着信側移動機が、発信を受けた際にその緊急度を認識可能とするために、発信側移動機においては、発信の際に、発信元である自機の識別子とともに、当該発信の緊急度に応じた緊急度識別子を着信側移動機宛に送信する。
【０００８】
本発明に係る着信方法は、着信時に、発信元識別子と緊急度識別子とを受信するステップと、前記緊急度識別子から緊急度を判定するステップと、前記発信元識別子と前記緊急度とを対応付けて着信履歴として格納手段に格納させるステップと、前記発信元識別子に対応する着信履歴を出力させるステップと、着信応答の前に通信が切断された場合に、前記緊急度に基づいて、前記格納手段から着信履歴を削除するステップとを含む。
【０００９】
これらの発明によれば、着信側移動機は、発信側移動機から送信された緊急度識別子に基づく緊急度を着信時に通知することができるので、ユーザは、応答に先立って発信の緊急度を容易に把握することが可能となる。その結果、着信時の状況に合った応答判断が可能となる。例えば、緊急性の低い着信に会議中に応答することは効率性やマナーの観点から望ましくないが、着信側移動機のユーザは、出力された緊急度を参照して応答しないことで、かかる状態を未然に防止することができる。反対に、ユーザは、緊急度が高いにも拘らず、着信に応答しないことによる不都合を回避することもできる。
【００１０】
また、これらの発明のように、一旦格納された着信履歴であっても、応答前に通信が切断された場合には、緊急度に基づいて削除され得る（換言すれば、継続して格納され得る）ものとすれば、緊急度の低い発信に対する返信を防止することもできる。例えば、移動機が、応答前に通信が切断された着信のうち、緊急度の低いものに関する履歴を自動的に削除することで、その履歴を使用したユーザによる返信を防止する。これにより、不在着信を認識した着信側ユーザが折返しの発信をしたが、着信に係る用件が既に済んでいた結果、折返しの発信が無駄となるといった事態の発生は、抑制される。
【００１１】
なお、着信履歴を削除するタイミングに関しては、通信の切断とほぼ同時、あるいは、切断時若しくは格納時から一定時間の経過後など、任意に設定することができる。
また、本発明は、移動機に限らず、固定電話への適用も勿論可能であるが、会議中における使用に鑑みると、移動機への適用が特に効果的である。
【発明の効果】
【００１２】
本発明によれば、着信側の移動機において、発信側の緊急度を把握することができるので、不要な応答や折返しの発信を防止することが可能となる。
【発明を実施するための最良の形態】
【００１３】
以下、添付図面を参照しながら、本発明の一実施形態における移動機について説明する。
図１は、本発明が適用された移動機の機能的構成を示す図である。本実施の形態における着信側の移動機２０は、移動機１０からの発信を、無線基地局Ｂ１、移動体通信網Ｎ、無線基地局Ｂ２を経由で受信可能な移動機である。図１に示すように、移動機２０は、通信制御部２１（受信手段に対応）と、緊急度参照テーブル２２と、緊急度判定部２３（判定手段に対応）と、着信履歴管理テーブル２４（格納手段に対応）と、出力制御部２５（制御手段に対応）と、表示部２６と、履歴管理部２７（管理手段に対応）と、入力部２８とを備える。
これら各構成要素は、バスを介して、相互に信号の入出力が可能なように接続されている。
【００１４】
以下、これら各構成要素について詳細に説明する。
通信制御部２１は、移動機１０を発信元とする着信時に、移動機１０の電話番号“090-xxxx-xxxx”（発信元識別子に対応）と、緊急度識別子「＊２」とを受信する。また、受信した電話番号及び緊急度識別子を、緊急度判定部２３に出力する。通信制御部２１は、着信時に、入力部２８を指示主体とする着信応答を待機するとともに、待機中における通信切断要求の受信を契機として、履歴管理部２７に対する不在着信の通知を行う。
【００１５】
緊急度参照テーブル２２は、緊急度識別子格納領域２２１と緊急度格納領域２２２とを有し、受信された緊急度識別子と緊急度とを対応付けて格納する。図２（ａ）に示すように、緊急度識別子格納領域２２１には、発信元の移動機（例えば、移動機１０）からの発信先の電話番号、すなわち着信側移動機２０の電話番号“090-1234-5678”に、緊急度識別子が付された文字列が格納されている。緊急度識別子としては、「＊１」、「＊２」、「＊３」の何れか一つが付されている。緊急度格納領域２２２には、それぞれの識別子に対応する緊急度として、緊急性を要さない方から昇順に「低」、「中」、「高」が設定されている。緊急度は更新可能である。
【００１６】
なお、緊急度参照テーブル２２は、末尾に付与された緊急度識別子を基にした緊急度の特定が可能であれば足り、上記以外にも、種々の変形態様を採ることができる。例えば、緊急度識別子は、図２（ｂ）に示すように、着信側移動機２０の電話番号の前に付されるものとしてもよい。また、前後の双方に付されてもよい。
【００１７】
緊急度判定部２３は、通信制御部２１から着信要求の入力を受けると、当該着信要求から緊急度識別子を取得した後、緊急度参照テーブル２２を参照して、当該識別子に対応する緊急度を判定する。緊急度判定部２３は、判定結果である緊急度を、上記着信要求に含まれる発信元電話番号、及び着信日時に対応付けて、着信履歴管理テーブル２４に格納させる。これらの情報（発信元電話番号、着信日時、緊急度）は、着信履歴として格納される。格納後は、着信履歴の表示要求を出力制御部２５に出力する。
【００１８】
着信履歴管理テーブル２４は、図３に示すような構成を有する。
発信元電話番号領域２４１には、移動機２０宛の着信要求に含まれている発信側の電話番号（例えば、“090-xxxx-xxxx”、“090-yyyy-yyyy”、…）が、「発信元電話番号」として保持される。
また、着信日時領域２４２には、通信制御部２１が着信要求の受信を検知した日時（例えば、“2005/1/15”、“2005/1/16”、…）が、「着信日時」として保持される。
緊急度領域２４３には、緊急度判定部２３により判定された緊急度（例えば、「中」、「低」、…）が、その識別子を有する着信要求の含む発信元電話番号に対応付けて保持される。
【００１９】
出力制御部２５は、各種情報の出力を制御する。出力とは、例えば表示であるが、音声や振動であってもよい。出力制御部２５は、緊急度判定部２３から表示要求が入力されると、該要求に含まれる発信元電話番号その他着信履歴を表示部２６に表示させる。また、出力制御部２５は、ユーザによる着信履歴の表示指示を検知すると、着信履歴管理テーブル２４に格納されている着信履歴を表示部２６に表示させる。
表示部２６は、ＬＣＤ（Liquid Crystal Display）や有機ＥＬ（Electro Luminescence）などの表示装置により構成され、出力制御部２５からの要求に応じて、着信履歴の表示を行う。
【００２０】
履歴管理部２７は、通信制御部２１から不在着信通知の入力を受けると、当該着信の要求に係る緊急度を着信履歴管理テーブル２４から取得する。そして、取得された緊急度に基づいて、着信履歴の削除の要否を判定し、必要であれば、着信履歴管理テーブル２４から削除する。削除の要否判定については、動作説明において詳述するが、例えば、緊急度が「低」に設定されている着信履歴を削除対象の着信履歴とみなす。
【００２１】
入力部２８は、操作ボタンやカーソルキーなどにより構成され、例えば、ユーザによる操作を、着信履歴の表示を指示する信号に変換し、出力制御部２５に出力する。
【００２２】
続いて、図４を参照しながら、本実施の形態における移動機２０の動作を説明し、併せて、本発明に係る着信方法を構成する各ステップについて説明する。
なお、本実施の形態では、発信元の移動機１０が移動機２０を発信先とする状況を想定し、その動作を代表的に説明するが、その他の移動機が発信元である場合にも、移動機２０は、同様の動作を実行可能である。
【００２３】
まずＳ１では、発信側の移動機１０から送信された着信要求が、基地局Ｂ１、移動体通信網Ｎ、基地局Ｂ２を経由して、移動機２０に到達する。
移動機２０は、通信制御部２１により上記着信要求を受信すると、通信制御部２１は、該要求を緊急度判定部２３に出力する。
着信要求には、発信元である移動機１０の電話番号“090-xxxx-xxxx”と、発信者の入力した緊急度識別子「＊２」とが少なくとも含まれている。
【００２４】
緊急度判定部２３は、上記着信要求の入力を受けると、該要求から緊急度識別子を取得した後、緊急度参照テーブル２２を参照することにより、当該識別子から緊急度を判定する（Ｓ２）。本動作説明では、緊急度識別子は「＊２」であるので、再び図２（ａ）を参照すると、緊急度は、これに対応する「中」と判定される。
【００２５】
図４に戻り、Ｓ３では、緊急度判定部２３により、Ｓ２で判定された緊急度「中」が、上記着信要求内の発信元電話番号、及び着信日時に対応付けられて、着信履歴管理テーブル２４に格納される。
格納後、緊急度判定部２３は、出力制御部２５に対して、着信履歴の表示を要求する（Ｓ４）。
【００２６】
表示要求を受けた出力制御部２５は、Ｓ３で格納された緊急度を、発信元電話番号及び着信日時と併せて、着信履歴として表示部２６に表示させる（Ｓ５）。
その結果、表示部２６には、電話番号“090-xxxx-xxxx”、着信日時“2005年1月15日”、緊急度「中」の情報がそれぞれ表示される。これにより、移動機２０のユーザは、発信側の緊急性を把握する。
【００２７】
一方、通信制御部２１は、Ｓ１における着信要求の受信を契機として、入力部２８からの着信応答指示を待機している（Ｓ６）。
通信制御部２１は、応答待機中、すなわち、上記着信要求に対する応答よりも前に、通信切断要求を受信すると（Ｓ７）、不在着信と判断し、その旨を、履歴管理部２７に通知する（Ｓ８）。
【００２８】
不在着信通知を受けた履歴管理部２７は、当該着信の緊急度が「低」であるか否かの判定を行う（Ｓ９）。この判定処理は、Ｓ３において既に着信履歴管理テーブル２４に格納されている着信履歴を用いて、実行される。図３を再び参照すると、“090-xxxx-xxxx”を発信元電話番号とする着信要求に関して、その着信履歴の緊急度は「中」であり、「低」ではない。したがって、図４のＳ１０の処理は省略され、Ｓ１１に移行する。
【００２９】
これに対して、着信履歴管理テーブル２４の参照の結果、不在着信通知のあった着信履歴の緊急度が「低」である場合には（Ｓ９；ＹＥＳ）、履歴管理部２７は、当該着信履歴を削除する（Ｓ１０）。例えば、発信元電話番号が“090-yyyy-yyyy”である着信履歴に関しては、緊急度は「低」であるので、削除対象と判断され、着信履歴管理テーブル２４から削除される。これにより、緊急性の低い発信に対する不要な返信を防止する。
【００３０】
出力制御部２５は、Ｓ５における着信履歴の表示の終了後も、入力部２８による表示指示の入力を監視している（Ｓ１１）。そして、当該指示を検知すると（Ｓ１１；ＹＥＳ）、ユーザが着信履歴の提示を要求したものと判断し、着信履歴管理テーブル２４に格納されている全ての着信履歴を取得して表示部２６に表示させる（Ｓ１２）。これにより、ユーザによる着信履歴の閲覧を可能とする。
【００３１】
以上説明したように、本実施の形態における移動機２０は、発信元である他の移動機１０の電話番号と発信の緊張度とを着信履歴として格納するとともに、これらの情報を着信時に表示する。これにより、移動機２０のユーザは、表示されている緊急度の高低から、応答すべき着信か否かの判断を、応答に先立って行うことができる。その結果、無駄な応答は予防される。また、移動機２０は、不在着信時に、あるいは、それから一定時間経過後に、緊張度の低い着信履歴を削除する。これにより、ユーザが緊張度の低い着信に対して返信する割合は、低減する。その結果、無駄な折返し電話は防止される。
【００３２】
なお、本実施の形態に記載の態様は、本発明に係る移動機の好適な一例であり、本発明は、かかる態様に限定されるものではない。
例えば、上記実施の形態では、着信履歴の削除は、緊急度が「低」と判定された直後、すなわち不在着信の通知とほぼ同時に行われるものとした。しかし、移動機２０が不在着信を通知しても、その時点から所定時間の経過までは、発信側の用件が終了していない可能性が高い。このような場合にまで着信履歴を削除すると、発信元に対する返信の容易性を阻害することとなり、反ってユーザの利便性が損なわれる。そこで、用件が未了であることが推測される時間（例えば３０分程度）が経過するまでは、移動機２０は、着信履歴管理テーブル２４に着信履歴を保持しておくものとしてもよい。そして、不在着信の通知時から所定時間の経過後に、着信履歴を削除する。これにより、ユーザ利便性を維持しつつ、無駄な折返し電話を防止することが可能となる。
【図面の簡単な説明】
【００３３】
【図１】本発明の一実施形態における着信側移動機の機能的構成を示す図である。
【図２】移動機が事前に保持する緊急度参照テーブルの構成を示す図である。図２（ａ）は、緊急度参照テーブルにおけるデータ格納例を示す図であり、図２（ｂ）は、緊急度参照テーブルにおける別のデータ格納例を示す図である。
【図３】移動機の着信履歴が保持される着信履歴管理テーブルにおけるデータ格納例を示す図である。
【図４】着信側移動機の動作を説明するための図である。
【符号の説明】
【００３４】
１０…発信側移動機、２０…着信側移動機、２１…通信制御部、２２…緊急度参照テーブル、２２１…緊急度識別子格納領域、２２２…緊急度格納領域、２３…緊急度判定部、２４…着信履歴管理テーブル、２４１…発信元電話番号領域、２４２…着信日時領域、２４３…緊急度領域、２５…出力制御部、２６…表示部、２７…履歴管理部、２８…入力部、Ｂ１，Ｂ２…無線基地局、Ｎ…移動体通信網
【図１】
2006295333.tif 000003
【図２】
2006295333.tif 000004
【図３】
2006295333.tif 000005
【図４】
2006295333.tif 000006